(57)【特許請求の範囲】
【請求項１】
マスク本体と、排気路パットと、エアー供給ユニットと、で構成されるエアーマスクであって、
前記マスク本体は、使用者の鼻孔部と口元部領域を覆う平型マスクまたは立体成型マスクで形成されると共に、両側端には耳掛け部を設け、側面の片側若しくは両側には連結穴を設けて成り、
前記排気路パットは、窪み状の排出経路を形成すると共に、使用者の鼻孔部と口元領域部を回避する凹部状の隙間空間を形成し、該隙間空間に連通する通風穴を設けて、前記マスク本体の内面に重ね合わせて成り、
前記エアー供給ユニットは、送風ファンユニットと、制御操作ユニットとで構成されて前記マスク本体の連結穴に狭持固定手段を介して連結固定されて成り、
前記送風ファンユニットは、電動送風ファンと、濾過フィルターとから成り、
前記制御操作ユニットは、少なくても、充電式バッテリーと電源ジャック口とＯＮ／ＯＦＦ切替スイッチと風量調整ダイヤルと電気回路基板類を備えて成り、
使用時において、マスク本体と顔面の間の隙間空間に濾過したエアーを送風してマスク本体の内側を高圧にすることによって使用者の吸気の絶対必要量を確保すると共に、使用者の呼気の外気への排出を誘導し、さらにマスク本体の周縁の隙間から呼気とエアーが自然排出されることによってマスク本体の周縁付近に浮遊するウイルスの侵入を阻止することができることを特徴とするエアーマスク。
【請求項２】
前記エアー供給ユニットにおける狭持固定手段を備える前記送風ファンユニットが、装着手段を備える前記制御操作ユニットと所定の長さを有するリード線を介して分離されて成ることを特徴とする請求項１記載のエアーマスク。
【発明の詳細な説明】
【技術分野】
【０００１】
マスク本体と顔面の間の隙間空間に濾過したエアーを送風してマスク本体の内側を高圧にすることによって使用者の吸気の絶対必要量を確保すると共に、使用者の呼気の外気への排出を誘導し、さらにマスク本体の周縁の隙間から呼気とエアーが自然排出されることによってマスク本体の周縁付近に浮遊するウイルスの侵入を阻止することができるエアーマスクに関する。
【背景技術】
【０００２】
従来より、一般的に使用される布（ガーゼ）マスクの装着効果は、外界の花粉や他人の咳やくしゃみなどで飛び散った飛沫の拡散抑止には効果があるとされるが、空気中に浮遊する細かい飛沫を十分に捕捉することはできないとされ、さらに洗濯による再利用は使用者の環境によって様々に異なることから衛生的な観点から推奨されることはなく、むしろ一部の専門家からは多くの衛生的弊害が伴うことが指摘されている。
【０００３】
従来における布（ガーゼ）マスクならびに不織布マスクに求められる衛生・感染防止効果は、外界の花粉や他人の咳やくしゃみなどで飛び散った飛沫に含まれる細菌やウイルスを防ぐことにある。
特に、布（ガーゼ）マスクの場合、よく野球場とボールの比較で言われるように、布の繊維の隙間はウイルスの大きさ（約０．１マイクロメートル）より大きく、ほとんどの布（ガーゼ）マスクでは防止効果はないとされる一方、布の繊維網を通過する間に、ブラウン運動をするウイルスには一定の捕捉効果があることが報告されている。
【０００４】
そのようなマスク効果の効能を踏まえ、その使用される環境に合わせて多様なマスクが提供されている。
例えば、布（ガーゼ）マスクは、外界の花粉や他人の咳やくしゃみなどで飛び散った飛沫に含まれる唾液の粒やウイルスの飛散を防ぐことを目的として提供されている。
【０００５】
ちなみに、布（ガーゼ）マスクは、東京大医科学研究所の河岡義裕教授によってウイルスを漏らさない部屋でマネキンとウイルスを使った実験での飛散するウイルスの透過率は６０〜８０％と高く、その実験内容は米科学誌「msphere」の電子版に掲載されている。
また、不織布マスクは、不織布の繊維の隙間に工場などの製造ならびに作業時に発生する塵埃やブラウン運動をするウイルスを防ぐことを目的として提供されている。
ちなみに、不織布マスクにおけるマネキンとウイルスを使った実験での飛散するウイルスの透過率は５０％前後であることが報告されている。
【０００６】
一方、Ｎ９５マスクは、空気中に浮遊する細かい飛沫やウイルス（約０．１マイクロメートル）や患者から発生される咳、くしゃみ、血液、分泌液、唾液、汗、おう吐物等の感染源物質や、水分、薬液、塵埃等の他に微粒子物質「ＰＭ２．５」など大気中を浮遊する粒子径２．５マイクロメートル以下の微粒子などの有害粒子を防ぐことを目的として提供されている。
ちなみに、東京大医科学研究所の河岡義裕教授によってウイルスを漏らさない部屋でマネキンとウイルスを使った実験での飛散するウイルスの透過率は１０〜２０％と低い。
【０００７】
しかしながら、上記における何れのマスクも、マスクと顔の間から流入する空気を抑え込まなくてはならない問題が残るもので、それを解決するにはマスクと顔の間を密着させる必要があるが、現実的にはマスクの構造上、マスクと顔の間からウイルス（約０．１マイクロメートル）や、微粒子物質「ＰＭ２．５」などが侵入してしまうことを防ぐことができないもので、マスクによる防御効果はほとんどないとする研究者も多い。
【０００８】
以上における従来のマスクに共通している問題点は、マスクと顔の間から流入する外気やウイルスを抑え込むことができる有力な手段（構造）が講じられていないことにある。そこで、顔面とマスクの間にエアーを送風することでそれらの問題を解決することができるエアーマスクの提案がなされている。
【０００９】
例えば、マスクのフィルタ本体を通して空気を吸引するファンを取り付けた「ファン装置を備えるフェースマスク」（特許文献１）が提案され、公知技術となっている。
【００１０】
しかしながら、係る「ファン装置を備えるフェースマスク」の提案は、着用者の少なくとも鼻及び口を覆う形状を有し、周縁部により輪郭が定められ、更に、外表面と、着用者の鼻及び口に隣接する内部空間を形成する内表面とを備えるフィルタ本体と、フィルタ本体に取り付けられ、フィルタ本体を着用者の皮膚に保持するよう構成される固定手段と、作動したときフィルタ本体を直接通る空気流の少なくとも一部を吸引するように、フィルタ本体の外表面に形成されるファンと、を備えている手段を採用したフェースマスクは、フェースマスク自体が多様な構成部品が組み込まれることによって複雑構造となることから長時間の使用に対して使用者の装着疲労度が増大すると共に、先方が尖った内部空間を有することで下向き作業をする場合に視界の一部が遮断される難点があり、さらにコスト的に高価であることや、使い捨て使用ができないといった問題があるものであった。
【００１１】
また、電源として太陽電池を使用して、空気中の有害成分を濾過して清浄な空気を供給する「太陽電池で稼働するファン付きマスク」（特許文献２）が提案され、公知技術となっている。
【００１２】
しかしながら、係る「太陽電池で稼働するファン付きマスク」の提案は、口と鼻を覆うマスクに、外部空気を吸気する為のファンを形成し、このファンには外部空気を濾過するフィルターを設け、ファンを稼働させる電源として太陽電池をマスクに形成していることによって、該ファン付きマスクには、送風ファン、フィルター、太陽電池がマスク内に組み込まれているため、ファン付きマスク自体が複雑構造となることから重量的にも外形的にも嵩張ることによって、長時間の使用に対して使用者の装着疲労度が増大すると共に、コスト的に高価であることや、使い捨て使用ができないといった問題があると同時に、使用時において、使用者の呼気がマスクの周辺から排出される構造における排出効果に問題があるものであった。
【００１３】
また、インフルエンザ等の細菌や花粉、アレルギー源やホコリ等の侵入を本格的に防止する、爽やかな送風装置を付けた鼻マスクで形成される「感染予防マスク」（特許文献３）が提案され、公知技術となっている。
【００１４】
しかしながら、係る「感染予防マスク」の提案は、衛生通気基体の外空気の取入側に、除菌防臭フィルターを設け、次に該基体内部にポンプまたはファン付マイクロモーターを設け、さらには通過する衛生空気を通す、通気フレキ管を衛生通気基体の内部前面に密封固着して設け、この通気フレキ管を延ばした先端に、鼻マスクを密着して設け、そしてまた衛生通気基体を装着支持する電池内蔵ヘッドベルトを設けた、ヘッドバーチューブを装着し、該チューブの頭部側先端に丸ゴムストッパーを設け、最後に電池内蔵ヘッドベルトから、ヘッドバーチューブの内部を通して、電源スイッチそしてポンプまたはファン付マイクロモーターへ配線を施して成る手段を採っていることによって、通気フレキ管の先端に鼻マスクが密着されていることで、鼻呼吸を強制的に強いられると共に、長時間の装着に疲労感や違和感が伴うものであり、さらに口元が開放されていることによってウイルスが口から侵入する可能性があるといった問題があるものであった。
【００１５】
また、不織布フィルターが花粉をブロックする。電動ファンの力でマスク内部も蒸れずに息苦しくない。スタイリッシュなフォルムはスポーツウェアや外出着にも使用でき、ワンランク上のライフスタイルを演出する。細菌やウィルスを９９％近くカットすることができる。心地よい呼吸をサポートする。高性能フィルターによるデザイン性と機能性を両立する。エアーによってメガネが曇りにくい。などといった多くのマスク機能を備えていつでも新鮮な空気が供給されるフィリップス社製の「ブリーズマスク」（非特許文献４）が提案され、インターネット検索によって知ることができる。
【００１６】
しかしながら、係る「ブリーズマスク」の提案は、リチウムイオン電池を内蔵して電動ファンによるエアーフローシステムを採用していることによって、マスク自体の装着重量感が伴うと共に、充電時間約３時間に対して可動動作時間が約２〜３．５時間と短いといった問題があるものであり、さらにマスク自体が専用のマスクを使用することでマスクの商品単価が高い（一万円以上）といった問題があるものだった。
また、使用者の鼻孔部と口元部から排出される二酸化炭素を含む呼気が、隙間空間に排出されて滞留することで人体から排出される呼気と新しいエアーの入れ替えがスムーズに行われない（呼気の排出経路が顔面とマスクの不確定な隙間から排出される手段を採用している）といった問題があるものだった。
【００１７】
本出願人は、マスク本体の周辺から流入するウイルスの遮断方法に着目し、使用時において、マスク本体と顔面の間の隙間空間に濾過したエアーを送風してマスク本体の内側を高圧にすることによって使用者の吸気の絶対必要量を確保すると共に、使用者の呼気の外気への排出を誘導し、さらにマスク本体の周縁の隙間から呼気とエアーが自然排出されることによってマスク本体の周縁付近に浮遊するウイルスの侵入を阻止することができるエアーマスクを開発し、本発明における「エアーマスク」の提案に至るものである。
【先行技術文献】
【特許文献】
【００１８】
【特許文献１】特表２００３−５００１７８号公報
【特許文献２】特開２０１１−２８８号公報
【特許文献３】実用新案登録第３１５５６４２号公報
【特許文献４】フィリップス社製「ブリーズマスク」  インターネット検索
【発明の概要】
【発明が解決しようとする課題】
【００１９】
本発明は上記問題点を鑑み、本発明のエアーマスクは、マスク本体と顔面の間の隙間空間に濾過したエアーを送風してマスク本体の内側を高圧にすることによって使用者の吸気の絶対必要量を確保すると共に、使用者の呼気の外気への排出を誘導し、さらにマスク本体の周縁の隙間から呼気とエアーが自然排出されることによってマスク本体の周縁付近に浮遊するウイルスの侵入を阻止することができるエアーマスクの提供を図ることを課題とする。
【課題を解決するための手段】
【００２０】
本発明は上記課題を解決するためになされるもので、本発明のエアーマスクは、マスク本体と、排気路パットと、エアー供給ユニットと、で構成されるエアーマスクであって、前記マスク本体は、使用者の鼻孔部と口元部領域を覆う平型マスクまたは立体成型マスクで形成されると共に、両側端には耳掛け部を設け、側面の片側若しくは両側には連結穴を設けて成り、前記排気路パットは、窪み状の排出経路を形成すると共に、使用者の鼻孔部と口元領域部を回避する凹部状の隙間空間を形成し、該隙間空間に連通する通風穴を設けて、前記マスク本体の内面に重ね合わせて成り、前記エアー供給ユニットは、送風ファンユニットと、制御操作ユニットとで構成されて前記マスク本体の連結穴に狭持固定手段を介して連結固定されて成り、前記送風ファンユニットは、電動送風ファンと、濾過フィルターとから成り、前記制御操作ユニットは、少なくても、充電式バッテリーと電源ジャック口とＯＮ／ＯＦＦ切替スイッチと風量調整ダイヤルと電気回路基板類を備えて成り、使用時において、マスク本体と顔面の間の隙間空間に濾過したエアーを送風してマスク本体の内側を高圧にすることによって使用者の吸気の絶対必要量を確保すると共に、使用者の呼気の外気への排出を誘導し、さらにマスク本体の周縁の隙間から呼気とエアーが自然排出されることによってマスク本体の周縁付近に浮遊するウイルスの侵入を阻止することができる手段を採る。
【００２１】
また、本発明におけるエアーマスクは、前記エアー供給ユニットにおける狭持固定手段を備える前記送風ファンユニットが、装着手段を備える前記制御操作ユニットと所定の長さを有するリード線を介して分離されて成る手段を採る。
【発明の効果】
【００２２】
本発明におけるエアーマスクによれば、マスクと顔面の間の隙間空間に濾過したエアーを送風してマスクの内側を高圧にすることによって、使用者の吸気の絶対必要量を確保すると共に、マスク本体の周縁の隙間から呼気とエアーが自然排出されることによってマスクの周縁付近に浮遊するウイルスの侵入を阻止することができる、といった優れた効果を奏する。
【００２３】
また、本発明におけるエアーマスクによれば、マスク本体と送風ファンユニットが其々独立していることで、低価格帯のマスクの使用が可能になることから大量に消費する医療機関のランニングコストの低廉が図れると共に、緊急時において品薄状態となっているＮ９５マスクの代用ができる、といった優れた効果を奏する。
【００２４】
また、本発明におけるエアーマスクによれば、使用状況に合わせて吐出されるエアーの供給量を自在に調節できることから、メガネの曇り、ドライアイ現象、マスク内の呼気の籠り現象、マスク本体内の温度上昇等の問題を解消することができる、といった優れた効果を奏する。
【００２５】
また、本発明におけるエアーマスクによれば、使用者の鼻孔部と口元領域部を回避する凹部状の隙間空間を形成する排気路パットを重ね合わせて使用することによって、使用者の呼気を速やかに外部に排出することができると共に、その呼気とエアーがマスク本体外に排出されることでマスク本体の周縁付近の空気中に浮遊するにウイルスの侵入が阻止される、といった優れた効果を奏する。
【００２６】
また、本発明におけるエアーマスクによれば、マスク本体の内側にポケット部を形成することで、清涼感が得られる清涼シート、口臭を吸収する活性炭シート、香料感が得られる香料シート、温熱効果が得られる温熱シート、冷却効果が得られる冷却シート、防塵性を高める防塵シート、細菌効果を高めるウイルス除去シート、通気性を遮断する防水シート、マスクの形状を整える成形シート、ポケット部から折り返し状に装着して使用する交換ガーゼシート、肌荒れを防止するスキンケア交換ガーゼシート等の使用者の目的に合わせた多目的シートを収納することができる、といった優れた効果を奏する。
【００２７】
また、本発明におけるエアーマスクによれば、マスク本体の表地が不通気性の部材で形成するかまたは樹脂コーティング加工を施すことによって、衛生マスクの前面からのウイルスの侵入を完全に阻止することができる、といった優れた効果を奏する。
【００２８】
また、本発明におけるエアーマスクによれば、マスク本体が、透明樹脂マスクで形成されることによって、口元が常に他人から視認することができると共に、マスク本体の側方および下方に排出されるエアーによってマスク本体の周縁付近の空気中に浮遊するにウイルスの侵入を阻止することができる、といった優れた効果を奏する。
【図面の簡単な説明】
【００２９】
【図１】本発明のエアーマスクの実施形態を示す説明図である。    （実施例１）
【図２】本発明のエアーマスクの使用状態を示す説明図である。
【図３】本発明のエアーマスクの別の仕様形態を示す説明図である。
【図４】本発明のエアーマスクの別の実施形態を示す説明図である。（実施例２）
【発明を実施するための形態】
【００３０】
本発明におけるエアーマスク１０は、マスク本体２０と顔面の間の隙間空間３２に濾過したエアーＥを送風してマスク本体２０の内側を高圧にすることによって使用者の吸気の絶対必要量を確保すると共に、使用者の呼気Ｃの外気への排出を誘導し、さらにマスク本体２０の周縁の隙間から呼気ＣとエアーＥが自然排出されることによってマスク本体２０の周縁付近に浮遊するウイルスの侵入を阻止することができる手段を採ったことを最大の特徴とする。以下、本発明の実施形態を図面に基づいて説明する。
【００３１】
尚、本発明のエアーマスク１０は、以下に述べる実施例に限定されるものではなく、本発明の技術的思想の範囲内、すなわち同一の作用効果を発揮できる形状及び寸法の範囲内で、適宜変更することができる。
また、本明細書中に単に「エアー」と記載される語句は、濾過された後の空気を意味すると共に、単に「空気」と記載される語句は、濾過される前の状態の空気を意味する。
【実施例１】
【００３２】
図１は、本発明のエアーマスクの実施形態を示す説明図である。
図は、本発明におけるエアーマスク１０を構成する分解斜視図である。
本発明におけるエアーマスク１０は、マスク本体２０と、排気路パット３０と、エアー供給ユニット４０と、で構成される手段を採ることができる。
【００３３】
マスク本体２０は、使用者の鼻孔部と口元部領域を覆う通気性を有する略矩形の平マスクまたは立体成型マスクで形成されて、両側端には掛け部２１が設けられて形成される。材質的には、肌触りの良い天然繊維素材または合成繊維素材で形成されるもので不通気性・通気性の機能は特に要求されない。
【００３４】
また、マスク本体２０は、高精度の濾過機能を有するフィルター付きのマスクではなく、市販の安価且つ簡易構造の平型の布（ガーゼ）マスクや、立体成型マスク、ウレタンマスク等を使用することもできる。
【００３５】
さらに、マスク本体２０を使用者の鼻孔部と口元部領域を覆う不通気性の素材で形成するか、またはマスク本体２０の前面に樹脂コーティング加工を施した平型マスクまたは立体成型マスクで形成することもできるもので、例えば、合成樹脂製シート及びフィルム、合成化学繊維、合成樹脂素材などを使用することもできる。
【００３６】
さらにまた、マスク本体２０を透明な樹脂シートを使用することで、その表面にＡＶカット加工や透明カラーを着色することで美容を目的とするマスクや会話時の口元の見える会話用マスクとすることもできる。
【００３７】
連結穴２２は、マスク本体２０の側面の片側若しくは両側に設けられてマスク本体２０と、エアー供給ユニット４０とを狭持固定手段６２によって連結する穴である。
【００３８】
排気路パット３０は、マスク本体２０の内側に配置され、使用者の鼻孔部と口元領域部を回避する凹部状の隙間空間３２を有してマスク本体２０の形状に対して一回り小さい形状に形成される。
材質的には、例えば、柔軟性を有する肌触りの良い天然繊維素材または合成繊維素材で形成されるもので不通気性・通気性の機能は特に要求されない。
【００３９】
排出経路３１は、排気路パット３０の内側に窪み状に設けられるもので、鼻孔部と口元部からの呼吸気の通気路を確保すると共に、マスク本体２０内に供給されたエアーＥと使用者から吐出される呼気Ｃをマスク本体２０の周縁に排出する目的で形成される。
【００４０】
隙間空間３２は、顔面とマスク本体２０の間に形成される隙間と、排気路パット３０の使用者の鼻孔部と口元領域部を回避する凹部状に形成される隙間によって形成される空間であって、エアー供給ユニット４０から供給されるエアーＥと使用者の鼻孔部と口元部から排気される呼気Ｃが充満するエリアであり、この顔面とマスク本体２０の間の隙間空間３２に排出経路３１が連通することで、少ないエアーＥの供給量で呼気Ｃを速やかに外部に排出することができると共に、外部からのウイルスの侵入を阻止することができるものである。
【００４１】
通風穴３３は、排気路パット３０側面の片側若しくは両側に設けられて、エアー供給ユニット４０から送風されるエアーＥが一時的に充満する穴であり、通風穴３３の周辺には排出経路３１は形成されていない。
【００４２】
通風路３４は、排気路パット３０の通風穴３３と、顔面とマスク本体２０の隙間空間３２を連通するものでエアーＥが通過する通り路であり、通風路３４の周辺には排出経路３１は形成されていない。
【００４３】
エアー供給ユニット４０は、送風ファンユニット５０と制御操作ユニット６０とで構成され、マスク本体２０の連結穴２２に狭持固定手段６２を介して連結固定される。
【００４４】
送風ファンユニット５０は、エアーＥを顔面とマスク本体２０の間に供給する電動送風ファン５１と、空気中に浮遊するウイルスを濾過する機能を有して該電動送風ファン５１に着脱自在に装着される濾過フィルター５２と、を備えて構成される。
【００４５】
電動送風ファン５１は、空気中に浮遊するウイルスを濾過フィルター５２によって濾過する目的で備えられるもので、充電式バッテリー６１を稼働電力とする小型軽量のマイクロファンである。
【００４６】
濾過フィルター５２は、電動送風ファン５１に組み込まれる形状を有して形成されるもので、高濾過精度を備えるフィルターまたは、飛沫防止用の布体、又は塵埃防止用の不識布、又は細菌防止用のフィルターを備えて電動送風ファン５１に交換可能に装着される。
【００４７】
上記の濾過フィルター５２の構成としては、例えば、複数のシートを積層した積層構造を有し、積層されるシート間に活性炭、遠赤外線放射素材、金属箔、鉄粉含有発熱素材、不織紙、不織布、ポリウレタン、マイナスイオン発生素材、磁石、吸湿発熱素材等から１または２以上を含んで構成される。
【００４８】
制御操作ユニット６０は、少なくても充電式バッテリー６１と電源ジャック口とＯＮ／ＯＦＦ切替スイッチと風量調整ダイヤルと電気回路基板類を備えて構成される。
【００４９】
充電式バッテリー６１は、例えば、充電式のリチウム乾電池や小型バッテリーによって電力が供給される稼働電力源である。
尚、本実施例は充電式バッテリー６１によるＤＣ電源稼働方式を採用しているが、家庭電源によるＡＣ稼働電源方式を採用することも可能である。
【００５０】
狭持固定手段６２は、其手段は特に限定されるものではないが、例えば、弾性体で形成される押し込みキャップ６２aをエアー供給ユニット４０に設けられた受け部６２ｂに押し込むことによってマスク本体２０の連結穴２２の周縁が狭持される手段を採る。
【００５１】
エアーＥは、外部の空気を濾過フィルター５２で濾過し、濾過したエアーＥを送風ファンによって吐出されるもので、そのエアーＥの効果は、吸気の絶対吸入量を安定的に確保すると共に顔面とマスク本体２０の間の隙間空間３２を外気よりやや高圧にすることで空気中に浮遊するウイルスの侵入を阻止する役目と、使用者の鼻孔ならびに口元から排出される呼気Ｃをエアーマスク１０外に速やかに排出する役目を果たすものである。
【００５２】
図２は、本発明のエアーマスクの使用状態を示す説明図である。
図２（a）は、本発明のエアーマスク１０の使用状態を示す説明図である。
使用者の鼻孔部ならびに口元部の側面に配置された電動送風ファン５１から排出されたエアーＥの流れに沿って、使用者の鼻孔部ならびに口元部から排出される呼気Ｃを速やかにマスク本体２０外に排出させると同時に、呼気Ｃの上方への排出を防ぐことでメガネの曇りや、ドライアイ現象を防ぐことができる。
【００５３】
図２（b）は、本発明のエアーマスク１０のエアーＥの通風状態を示す説明図である。
（１）電動送風ファン５１が作動することによって送風ファンユニット５０内に空気（外気）が吸引される。
（２）吸引された空気（外気）が濾過フィルター５２によって濾過される。
（３）濾過されたエアーＥは、一端通風穴３３に充満し、その後通風路３４を通って排気路パット３０の隙間空間３２に供給される。
（４）隙間空間３２に充満したエアーＥは、使用者の鼻孔部と口元部から吸い込まれると同時に、使用者の鼻孔部と口元部から排出された呼気Ｃと新しく供給されたエアーＥが、排出経路３１を通過してマスク本体２０外に排出される。
（５）呼気ＣとエアーＥがマスク本体２０外に排出されることでマスク本体２０の周縁付近の空気中に浮遊するにウイルスの侵入が阻止される。
【００５４】
以上で構成される本発明のエアーマスク１０は、マスク本体２０の内面と顔面の間に濾過したエアーＥを送風することで使用者の呼気Ｃの排出を容易にし、さらに吸気の絶対吸入量を安定的に確保し、さらにまた、マスク本体２０の周縁から呼気ＣとエアーＥが排出されることでマスク本体２０の周縁付近の空気中に浮遊するウイルスの侵入を阻止することができると共に、医療用マスクを大量に消費する医療機関のランニングコストの低廉が図れ、さらに使用時において吐出されるエアーＥの向きや吐出量を自在に調節できることから、メガネの曇り、ドライアイ現象の防止、マスク本体２０内の呼気Ｃの籠り現象による温度上昇等の多くの問題を解消することができるエアーマスク１０の提供を可能にする。
【００５５】
図３は、本発明のエアーマスクの別の仕様形態を示す説明図である。
図は、本発明におけるエアーマスク１０の構成を示す分解斜視図である。
本発明のマスク本体２０は、市販の立体成型マスクや、ウレタンマスクを使用することができる。
尚、排気路パット３０の形状は、使用されるマスクの輪郭形状に合わせて形成される。
【００５６】
本発明におけるエアーマスク１０は、顔面とマスク本体２０の間の隙間空間３２にエアーＥを送風する構造によってウイルスの侵入を阻止することができるもので、マスク本体２０のウイルス濾過機能を必要としないことから、ユーザーの嗜好に合わせた多様なマスクを使用することができる。
【００５７】
以上で構成される本発明のエアーマスク１０は、マスク本体２０の素材に影響されることなく、使用時において、マスク本体２０の内面と顔面の間に濾過したエアーＥを送風することで使用者の呼気Ｃの排出を容易にし、さらに吸気の絶対吸入量を安定的に確保し、さらにまた、マスク本体２０の周縁から呼気ＣとエアーＥが排出されることでマスク本体２０の周縁付近の空気中に浮遊するウイルスの侵入を阻止することができるエアーマスク１０の提供を可能にする。
【実施例２】
【００５８】
図４は、本発明のエアーマスクの別の実施形態を示す説明図である。
図は、本発明におけるエアーマスク１０のエアー供給ユニット４０における送風ファンユニット５０と、制御操作ユニット６０を示す全体斜視図である。
本発明のエアーマスク１０は、エアー供給ユニット４０における狭持固定手段６２を備える送風ファンユニット５０が、装着手段６３を備える制御操作ユニット６０と所定の長さを有するリード線６４を介して分離されて成る手段を採ることができる。
【００５９】
送風ファンユニット５０は、エアーＥを顔面とマスク本体２０の間に供給する電動送風ファン５１と、空気中に浮遊するウイルスを濾過する機能を有して該電動送風ファン５１に着脱自在に装着される濾過フィルター５２と、マスク本体２０に固定される狭持固定手段６２を備えて形成される。
【００６０】
制御操作ユニット６０は、少なくとも充電式バッテリー６１と電源ジャック口とＯＮ／ＯＦＦ切替スイッチと風量調整ダイヤルと電気回路基板類と装着手段６３を備えて形成される。
【００６１】
装着手段６３は、例えば、クリップ、平面ファスナー、ボタン、バンド通し、ゴムバンド、締め付けバンド、カチューシャ、オーバーヘッドキャリアなどによって形成される。
装着手段６３をユニット自体に備えることによって、胸ポケットやキャップ（帽子）、頭部などに装着することでマスク自体の装着重量感を軽減することができると共に、充電式バッテリー６１を大型化することでエアーマスク１０の装着稼働時間を増大させることができる。
【００６２】
リード線６４は、エアー供給ユニット４０から分離された送風ファンユニット５０と制御操作ユニット６０とを接続する電線であって、マスク本体２０の片側若しくは両側から引き出される。
【００６３】
以上で構成される本発明のエアーマスク１０は、マスク自体の装着重量感を軽減することができると共に、装着稼働時間を増大させることができるエアーマスク１０の提供を可能にする。
【００６４】
また、携帯用の制御操作ユニット内に、電動送風ファンと、濾過フィルターで構成される送風ファンユニットを内蔵し、送風チューブを有してエアーマスク１０にエアーＥを供給する仕様とすることもできる。
【産業上の利用可能性】
【００６５】
本発明のエアーマスクは、マスクと顔面の間の隙間空間に濾過したエアーを送風してマスクの内側を高圧にすることによって使用者の吸気の絶対必要量を確保すると共に、使用者の呼気の外気への排出を誘導し、さらにマスクの周縁の隙間から呼気とエアーが自然排出されることによってマスクの周縁付近に浮遊するウイルスの侵入を阻止することができることから、本発明における「エアーマスク」の産業上の利用可能性は極めて大であるものと思料する。
【符号の説明】
【００６６】
１０    エアーマスク
２０    マスク本体
２１    耳掛け部
２２    連結穴
３０    排気路パット
３１    排出経路
３２    隙間空間
３３    通風穴
３４    通風路
４０    エアー供給ユニット
５０    送風ファンユニット
５１    電動送風ファン
５２    濾過フィルター
６０    制御操作ユニット
６１    充電式バッテリー
６２    狭持固定手段
６２a    押し込みキャップ
６２ｂ  受け部
６３    装着手段
６４    リード線
Ｅ    エアー（濾過された後の空気）
【要約】使用者の吸気の絶対必要量を確保すると共に、使用者の呼気の外気への排出を誘導し、さらにエアーマスクの周縁の隙間から呼気とエアーが自然排出されることによってウイルスの侵入を阻止するエアーマスクの提供を図る。
【課題】本発明のエアーマスクは、マスク本体と、排気路パットと、送風ファンユニットと、で構成され、マスク本体は、使用者の鼻孔部と口元部領域を覆う平型マスクまたは立体成型マスクで形成されると共に、両側端には耳掛け部を設け、側面の片側若しくは両側には連結穴を設けて成り、排気路パットは、窪み状の排出経路を形成すると共に、使用者の鼻孔部と口元領域部を回避する凹部状の隙間空間を形成すると共に、該隙間空間に連通する通風穴を設けて成り、送風ファンユニットは、濾過フィルターと、電動送風ファンと、充電式バッテリーを備える制御操作ユニットを内蔵して、マスク本体の連結穴に狭持固定手段を介して連結固定する手段を採る。
【選択図】図１【図１】
0006932870.tif 000002
【図２】
0006932870.tif 000003
【図３】
0006932870.tif 000004
【図４】
0006932870.tif 000005